(57)【要約】【課題】  コンクリート建造物における型枠取り外し後の仕上げ作業が容易に行え、かつ、コンクリート建造物のセパレータ配置位置からのひび割れや錆汁の漏れ出しの防止を図る型枠用セパレータを提供する。【解決手段】  端部に固定具３０を装着するためのネジ部６が備えられるとともに、そのネジ部６の内方位置の表面に位置決め用凸部３が設けられ、その位置決め用凸部３の内方位置の表面に切除用凹部４が設けられ、その切除用凹部４の内方位置の表面に回転阻止用凸部５が設けられた軸体２と、軸体２の端部から挿通されて位置決め用凸部３にその内面が係止することで位置決め配置され、その外面において固定具３０との間に型枠２０を固定する固定プレート１０とにより型枠用セパレータを構成する。【選択図】図４
2011153521.tif 000002
【特許請求の範囲】
【請求項１】
端部に固定具を装着するためのネジ部が備えられるとともに、そのネジ部の内方位置の表面に位置決め用凸部が設けられ、その位置決め用凸部の内方位置の表面に切除用凹部が設けられ、その切除用凹部の内方位置の表面に回転阻止用凸部が設けられた軸体と、前記軸体の端部から挿通されて前記位置決め用凸部にその内面が係止することで位置決め配置され、その外面において前記固定具との間に型枠を固定する固定プレートと、からなることを特徴とする型枠用セパレータ。
【請求項２】
前記固定プレートが、その周縁に前記型枠の内面に当接する環状の固定脚縁を備えることを特徴とする請求項１記載の型枠用セパレータ。
【請求項３】
前記軸体における前記切除用凹部から前記位置決め用凸部に至る部分が前記端部側にいくにしたがい徐々に太径とされている請求項１または２記載の型枠用セパレータ。
【請求項４】
前記軸体における前記切除用凹部から前記位置決め用凸部に至る部分が２５〜３５ｍｍである請求項１、２または３記載の型枠用セパレータ。
【発明の詳細な説明】
【技術分野】
【０００１】本発明は、型枠用セパレータの改良に関する。
【背景技術】
【０００２】図６は従来における型枠用セパレータ１００を示し、軸本体１０１の両端に固定具１０２のそれぞれが取り付けられて構成されている。取り付け具１０２は側面台形のプラスチックス製の円垂体１０４の外面に固定用ネジ棒１０５がインサートされて構成されていて、その内面側に軸本体１０１のネジ部１０７が螺入されるようになっている。そして、そのネジ部１０７に螺着される固定具と円錐体１０４の外面との間に型枠を挟み固定するように用いられる。取り付け具１０２はコンクリート建造物が固化して型枠が外された後に建造物面から取り外され、その取り外した凹み部に樹脂モルタルが充填されて表面が仕上げられる。
【発明の概要】
【発明が解決しようとする課題】
【０００３】上記取り付け具１０２を取り外した後の凹み部は１個の建造物においてきわめて多数となり、その凹み部それぞれにおいて埃や汚れを取り除き樹脂モルタルを充填するのには非常に手間がかかるとともに、作業者の技術が未熟な場合にはその作業が十分になされず表面仕上がりが悪くなる場合があった。さらに、取り付け具１０２の大きさは建造物の強度や樹脂充填の観点からもあまり大きくできず、したがって軸本体１０１の端部Ｔの樹脂モルタルへの埋設深さ（建造物における埋設深さ）Ｘが１２ｍｍ程度と浅く、その端部Ｔ位置部分からのひび割れや錆汁の漏れ出し問題もあった。【０００４】この考案は上記の点に鑑みて行ったもので、型枠取り外し後の仕上げ作業が容易に行え、かつ、コンクリート建造物のセパレータ配置位置からのひび割れや錆汁の漏れ出しの問題を解消することを目的とする。
【課題を解決するための手段】
【０００５】この考案では、端部に固定具を装着するためのネジ部が備えられるとともに、そのネジ部の内方位置の表面に位置決め用凸部が設けられ、その位置決め用凸部の内方位置の表面に切除用凹部が設けられ、その切除用凹部の内方位置の表面に回転阻止用凸部が設けられた軸体と、前記軸体の端部から挿通されて前記位置決め用凸部にその内面が係止することで位置決め配置され、その外面において前記固定具との間に型枠を固定する固定プレートと、からなることを特徴とする型枠用セパレータを提供する。【０００６】上記構成によれば、型枠が取り外された後のコンクリート建造物の表面には従来のように大きな凹み部が残らず、その仕上げ作業は軸体の捻り切られた部分が取り除かれた細径の穴を樹脂モルタルやプラスチック栓で塞ぐことにより容易になされる。また、軸体の切除位置が２５〜３５ｍｍ程度と適宜深い位置とできることで、セパレータの端部の建造物への埋設探さが深くできる。【０００７】とくに、固定プレートがその周縁に前記型枠の内面に当接する環状の固定脚縁を備える構成とされることで、型枠の強固な固定が可能となるとともに固定プレートと型枠面との間にコンクリート液が侵入することがなくて良好な仕上がりが得られる。さらに、軸体における切除用凹部から位置決め用凸部に至る部分が端部側にいくにしたがい徐々に太径とされることで、軸体の捻り切られた部分の外部への引き出しがスムーズになされる。【０００８】
【発明の効果】
【０００９】この発明のようによれば、型枠取り外し後の仕上げ作業が容易に行え、かつ、コンクリート建造物のセパレータ配置位置からのひび割れや錆汁の漏れ出しが防止される。
【図面の簡単な説明】
【００１０】
【図１】この考案の型枠用セパレータの正面図
【図２】この考案の型枠用セパレータの要部拡大斜視図
【図３】この考案の型枠用セパレータの要部拡大正面図
【図４】この考案の型枠用セパレータの使用説明図
【図５】この考案の型枠用セパレータの使用説明図
【図６】従来例の型枠用セパレータの正面図
【発明考案を実施するための形態】
【００１１】図１はこの発明の型枠用セパレータの外観正面図、図２、図３は同要部拡大図である。型枠用セパレータ１は鉄製で、円柱状の軸体２とその両端に装着される一対の固定プレート１０とよりなる。軸体２のそれぞれの端部には固定用のネジ部６のそれぞれが設けられ、それらネジ部６の内方位置の表面に扁平加工され両側に突設される係止用凸部５５が設けられ、それら係止用凸部５５内方位置の表面に環状の位置決め用凸部３のそれぞれが設けられ、それら位置決め用凸部３の内方位置の表面に環状の切除用凹部４のそれぞれが設けられ、それら切除用凹部４の内方位置の表面に扁平加工され両側に突設される回転阻止用凸部５のそれぞれが設けられている。上記切除用凹部４から位置決め用凸部３に至る部分７の長さは３０ｍｍとされ、かつ、その表面はテーパーを持って端部側にいくにしたがい徐々に太径とされている。
【００１２】固定プレート１０は円形で軸体２への装着穴１１を備えており、その周縁には連続して型枠の内面に当接する環状の固定脚縁１２が一体に備えられている。固定プレート１０は端部から挿通されて位置決め用凸部５にその内面が係止することで軸体２に装着配置される。
【００１３】図４は型枠用セパレータ１の使用状態を示し、ネジ部６に螺着装着された固定具３０と位置决め用凸部３により内方への移動が阻止されて位置決めされた固定プレート  １０とに挟持されて型枠２０が固定されている。その固定作業に際しては、係止用凸部５５が型枠２０の挿通穴部分において内面に係止することで型枠用セパレータ１は回転が阻止されて仮止め状態とでき、これにより作業性が高められる。型枠用セパレータ１の相対する側においても型枠２０が固定され、その一対の型枠２０間にコンクリートＣが流入されて固化される。
【００１４】コンクリートＣの固化後、まず、固定具３０が取り外されてネジ部６に工具により大きな回転力を加えると、回転阻止用凸部５がコンクリートＣ内に食い込んで強固に固定されており、かつ、その外側位置に切断強度が小さくなる切除用凹部４があることで、軸体２はその切除用凹部４において捻り切られる。次に、その軸体２の捻り切られた部分Ｂが固定プレート１０とともに外部に引き出される。固化したコンクリートＣ面には軸体２の捻り切られた部分Ｂが取り除かれた穴５０と固定プレートの取り除かれた扁平な円形の凹み５１が残り、穴５０に注入ガンにより樹脂モルタルが充填されて仕上げがおこなわれる。
【００１５】上記において、まず固定具３０を締め付けていくことで型枠２０の内面に固定プレート１０の固定脚縁１２が当接し、そこに力が集中することで強固な固定が可能となる。また、固定プレート１０が単なる面体である場合には固定プレート１０と型枠２０面との間にコンクリート液が侵入して固定プレート１０を除去した際の仕上がりが悪くなるが、固定プレート１０が環状の固定脚縁１２を持つ構成によりコンクリート液の侵入がなく仕上がりが良好となる。
【００１６】また、軸体２の切除用凹部４から位置決め用凸部３に至る部分７が３０ｍｍと長くされているので、施工完了時においてはセパレータの端部の建造物への埋設深さ（従来例でのＸに相当）が３０ｍｍと深くなり、これによりその端部位置部分からのひび割れや錆汁の漏れ出しが確実に防止される。
【００１７】また、切除用凹部４から位置決め用凸部３に至る部分７の表面がテーパーを持って端部側にいくにしたがい徐々に太径とされていることで、軸体２の捻り切られた部分Ｂの外部への引き出しがスムーズになされる。
【００１８】また、軸体２の捻り切られた部分Ｂが取り除かれた穴５０は細径の穴となるのて、樹脂モルタルの注入ガンを用いることでその充填仕上げが従来に比して容易に行え、また、単に棒状のプラスチックス栓を付することにより仕上げも可能となる。
【符号の説明】
【００１９】１  型枠用コンクリート
２  軸体
３  位置決め用凸部
４  切除用凹部
５  回転阻止用凸部
６  ネジ部
１０  固定プレート
２０  型枠
３０  固定具
Ｃ  コンクリート
【図１】
2011153521.tif 000003
【図２】
2011153521.tif 000004
【図３】
2011153521.tif 000005
【図４】
2011153521.tif 000006
【図５】
2011153521.tif 000007
【図６】
2011153521.tif 000008